(57)【要約】【課題】クレジットカードの不正利用をより一層困難にする。【解決手段】クレジットカードがかざされ、正しい端末に正しいクレジットカードがかざされたとの認証結果が得られると、非接触の近距離無線通信で、該クレジットカードのＩＣチップのメモリに記憶されているロック状態情報を、ロックが設定されていることを示すものから、ロックが解除されていることを示すものに書き換える近距離無線通信端末と、  該クレジットカードの外部接続端子を介して、接触通信で、該クレジットカードのＩＣチップのメモリに記憶されているロック状態情報を読み取り、読み取ったロック状態情報が、ロックが解除されていることを示すものである場合、決済が行われ、該ロック状態情報を、ロックが解除されていることを示すものから、ロックが設定されていることを示すものに書き換える決済端末とを備える決済システム。【選択図】図３
2016114978.tif 000002
【特許請求の範囲】
【請求項１】
非接触の近距離無線通信を行うためのアンテナと、接触通信を行うための外部接続端子と、アンテナ及び外部接続端子と電気的に接続されたＩＣチップとを備えるカードであって、ＩＣチップのメモリに、ロックが設定されているか、或いは、ロックが解除されているかを示すロック状態情報が記憶されていることを特徴とするクレジットカード。
【請求項２】
請求項１記載のクレジットカードで決済を行うシステムであって、
該クレジットカードがかざされ、正しい端末に正しいクレジットカードがかざされたとの認証結果が得られると、非接触の近距離無線通信で、該クレジットカードのＩＣチップのメモリに記憶されているロック状態情報を、ロックが設定されていることを示すものから、ロックが解除されていることを示すものに書き換える近距離無線通信端末と、
該クレジットカードの外部接続端子を介して、接触通信で、該クレジットカードのＩＣチップのメモリに記憶されているロック状態情報を読み取り、読み取ったロック状態情報が、ロックが解除されていることを示すものである場合、決済が行われ、該ロック状態情報を、ロックが解除されていることを示すものから、ロックが設定されていることを示すものに書き換える決済端末とを備えることを特徴とする決済システム。
【請求項３】
請求項１記載のクレジットカードで決済を行う方法であって、
近距離無線通信端末に、該クレジットカードがかざされ、正しい端末に正しいクレジットカードがかざされたとの認証結果が得られると、該近距離無線通信端末が、非接触の近距離無線通信で、該クレジットカードのＩＣチップのメモリに記憶されているロック状態情報を、ロックが設定されていることを示すものから、ロックが解除されていることを示すものに書き換える工程と、
決済端末が、該クレジットカードの外部接続端子を介して、接触通信で、該クレジットカードのＩＣチップのメモリに記憶されているロック状態情報を読み取り、読み取ったロック状態情報が、ロックが解除されていることを示すものである場合、決済が行われ、該ロック状態情報を、ロックが解除されていることを示すものから、ロックが設定されていることを示すものに書き換える工程とを含むことを特徴とする決済方法。
【発明の詳細な説明】
【技術分野】
【０００１】
本発明は、クレジットカード、決済システム及び方法に関する。
【背景技術】
【０００２】
従来から、クレジットカードの紛失或いは盗難による不正使用を防止するために、個々のクレジットカードの利用者に、インターネットを介して、個々のクレジットカードのロックを設定或いは解除させ、個々のクレジットカードのロックが設定されているか或いはロックが解除されているかを示すロック状態情報をデータベースで管理し、ロック状態情報が、ロックが設定されていることを示すクレジットカードを使用不可にし、ロック状態情報が、ロックが解除されていることを示すクレジットカードを使用可能にするサーバをイシュアが設置するカードロックが知られている（例えば特許文献１参照）。
【０００３】
しかしながら、従来のカードロックは、ロックを解除してクレジットカードを使用した後、クレジットカードの正当な利用者が再びロックを設定しない限り、再びロックが設定されることはないので、クレジットカードの正当な利用者が再びロックを設定することを忘れている間に、或いは、クレジットカードの正当な利用者がロックを設定しようとしても、インターネットが利用できる環境になくロックを設定できない間に、紛失したり、盗難に会った場合、クレジットカードが不正使用される恐れがあるという欠点を有する。
【０００４】
また、従来のカードロックは、紛失或いは盗難したクレジットカードにロックが設定されていても、インターネットを介して、個々のクレジットカードのロックが設定されているか或いはロックが解除されているかを示すロック状態情報を管理するデータベースに不正アクセスされて、ロックが解除され、紛失或いは盗難したクレジットカードが不正利用される恐れがあるという欠点も有する。
【先行技術文献】
【特許文献】
【０００５】
【特許文献１】特開２００９−２９５００６号公報
【発明の概要】
【発明が解決しようとする課題】
【０００６】
本発明は、このような事情を考慮してなされたもので、クレジットカードの不正利用をより一層困難にすることを課題とする。
【課題を解決するための手段】
【０００７】
本発明において上記課題を解決するために、まず請求項１の発明では、
非接触の近距離無線通信を行うためのアンテナと、接触通信を行うための外部接続端子と、アンテナ及び外部接続端子と電気的に接続されたＩＣチップとを備えるカードであって、ＩＣチップのメモリに、ロックが設定されているか、或いは、ロックが解除されているかを示すロック状態情報が記憶されていることを特徴とするクレジットカードとしたものである。
【０００８】
また請求項２に係る発明は、
請求項１記載のクレジットカードで決済を行うシステムであって、
該クレジットカードがかざされ、正しい端末に正しいクレジットカードがかざされたとの認証結果が得られると、非接触の近距離無線通信で、該クレジットカードのＩＣチップ
のメモリに記憶されているロック状態情報を、ロックが設定されていることを示すものから、ロックが解除されていることを示すものに書き換える近距離無線通信端末と、
該クレジットカードの外部接続端子を介して、接触通信で、該クレジットカードのＩＣチップのメモリに記憶されているロック状態情報を読み取り、読み取ったロック状態情報が、ロックが解除されていることを示すものである場合、決済が行われ、該ロック状態情報を、ロックが解除されていることを示すものから、ロックが設定されていることを示すものに書き換える決済端末とを備えることを特徴とする決済システムとしたものである。
【０００９】
また請求項３に係る発明は、
請求項１記載のクレジットカードで決済を行う方法であって、
近距離無線通信端末に、該クレジットカードがかざされ、正しい端末に正しいクレジットカードがかざされたとの認証結果が得られると、該近距離無線通信端末が、非接触の近距離無線通信で、該クレジットカードのＩＣチップのメモリに記憶されているロック状態情報を、ロックが設定されていることを示すものから、ロックが解除されていることを示すものに書き換える工程と、
決済端末が、該クレジットカードの外部接続端子を介して、接触通信で、該クレジットカードのＩＣチップのメモリに記憶されているロック状態情報を読み取り、読み取ったロック状態情報が、ロックが解除されていることを示すものである場合、決済が行われ、該ロック状態情報を、ロックが解除されていることを示すものから、ロックが設定されていることを示すものに書き換える工程とを含むことを特徴とする決済方法としたものである。
【発明の効果】
【００１０】
本願発明は、近距離無線通信端末にかざし、正しい端末に正しいクレジットカードがかざされたとの認証結果が得られると、ロックが解除されて、決済端末で、決済が可能となり、決済直後、ロックを設定でき、クレジットカードの正当な利用者が、クレジットカードを使用する瞬間だけロックが解除され、この瞬間以外の時間ではロックが確実に設定されているという効果がある。
【００１１】
また、本願発明は、インターネットを介して、個々のクレジットカードのロックを設定或いは解除させ、個々のクレジットカードのロックが設定されているか或いはロックが解除されているかを示すロック状態情報を管理するデータベースが不要であり、それゆえ、このデータベースに不正アクセスされて、ロックが解除され、紛失或いは盗難したクレジットカードが不正利用されることが絶対にないという効果がある
【００１２】
従って、本発明は、クレジットカードの不正利用をより一層困難にできるという効果がある。
【図面の簡単な説明】
【００１３】
【図１】本発明の決済システムの第１の実施形態の構成を示す図。
【図２】本発明の決済システムの第２の実施形態の構成を示す図。
【図３】本発明の決済システムでなされる決済の流れを示すフローチャート。
【発明を実施するための形態】
【００１４】
以下に、本発明の実施形態を説明する。
【００１５】
まず、本発明のクレジットカードを説明する。
【００１６】
本発明のクレジットカードは、非接触の近距離無線通信を行うためのアンテナと、接触通信を行うための外部接続端子と、アンテナ及び外部接続端子と電気的に接続されたＩＣチップとを備えるデュアルインターフェースカード、或いは、コンビネーションカードと称されるカードであって、ＩＣチップのメモリに、ロックが設定されているか、或いは、ロックが解除されているかを示すロック状態情報が記憶されているものである。
【００１７】
例えば、ロック状態情報は０又は１の値を取るフラグとし、フラグが０の値を取る場合、ロックが設定されていることを示すものとし、フラグが１の値を取る場合に、ロックが解除されていることを示すものとしても良い。
【００１８】
また本発明のクレジットカードは、このクレジットカードが備えるＩＣチップのメモリに、クレジットカード番号、パスワード等、このクレジットカードを認証するための情報（以後、クレジットカードの認証情報とも云う）も記憶している。
【００１９】
＜第１の実施形態＞
次に、本発明の決済システムの第１の実施形態を説明する。以後、クレジットカードと云えば、本発明のクレジットカードを意味するものとする。
【００２０】
第１の実施形態の決済システムは、図１に示すように、近距離無線通信端末１と、決済端末２と、イシュアサーバ１０とを備え、イシュアサーバ１０は、認証情報データベース１１と、認証サーバ１２とを備え、認証サーバ１２は、ネットワーク３を介して、近距離無線通信端末１と、決済端末２とから接続されるものである。
【００２１】
イシュアサーバ１０は、イシュアと呼ばれるクレジットカード発行会社が運営するサーバであって、認証情報データベース１１、認証サーバ１２の他に、信用照会のためのオーソリサーバ、決済のための決済サーバも備えていても良い。
【００２２】
近距離無線通信端末１は、クレジットカードの利用者が所持する端末であって、近距離無線通信（Ｎｅａｒ  Ｆｉｅｌｄ  Ｃｏｍｍｕｎｉｃａｔｉｏｎ）装置を備え、クレジットカードと非接触の近距離無線通信を行って、クレジットカードに設定されたロックを解除するために用いられる端末であって、例えば、携帯電話機である。
【００２３】
近距離無線通信端末１は、ＩＤ、パスワード等、この近距離無線通信端末１を認証するための情報（以後、近距離無線通信端末１の認証情報とも云う）を記憶し、近距離通信の通信エリア内に、クレジットカードがかざされると、このクレジットカードのＩＣチップのメモリからクレジットカードの認証情報を読み取り、読み取ったクレジットカードの認証情報と、この近距離無線通信端末１が記憶している近距離無線通信端末１の認証情報とを、認証サーバ１２に、このクレジットカード及び近距離無線通信端末１の認証要求として、送信し、認証サーバ１２から、正しい近距離無線通信端末に、正しいクレジットカードがかざされたとの認証結果を受信した場合、このクレジットカードのＩＣチップに記憶されているロック状態情報を、ロックが設定されていることを示すものから、ロックが解除されていることを示すものに書き換える。
【００２４】
或いは、近距離無線通信端末１は、この近距離無線通信端末１の認証情報を記憶せず、近距離通信の通信エリア内に、クレジットカードがかざされると、このクレジットカードのＩＣチップのメモリからクレジットカードの認証情報を読み取るととともに、近距離無線通信端末１の認証情報の入力を促し、読み取ったクレジットカードの認証情報と、入力された近距離無線通信端末１の認証情報とを、認証サーバ１２に、このクレジットカード及び近距離無線通信端末１の認証要求として、送信し、認証サーバ１２から、正しい近距離無線通信端末に、正しいクレジットカードがかざされたとの認証結果を受信した場合、
このクレジットカードのＩＣチップに記憶されているロック状態情報を、ロックが設定されていることを示すものから、ロックが解除されていることを示すものに書き換えても良い。
【００２５】
決済端末２は、クレジットカードが挿入されると、このクレジットカードの外部接続端子に接続され、この外部接続端子を介して、接触通信で、このクレジットカードのＩＣチップのメモリに記憶されている情報を読み取ったり、このメモリに情報を書き込んだりするカードリーダライタを備え、このクレジットカードで、このクレジットカードの利用者が、購入する商品の代金を決済するのに用いられる端末であって、例えば、加盟店のＰＯＳ（Ｐｏｉｎｔ  Ｏｆ  Ｓａｌｅ）端末である。
【００２６】
決済端末２は、この決済端末２が備えるカードリーダライタに挿入されているクレジットカードの外部接続端子を介して、接触通信で、このクレジットカードのＩＣチップのメモリに記憶されているロック状態情報を読み取り、読み取ったロック状態情報が、ロックが設定されていることを示している場合は、このクレジットカードでの決済を拒絶する。
【００２７】
また、決済端末２は、この決済端末２が備えるカードリーダライタに挿入されているクレジットカードの外部接続端子を介して、接触通信で、このクレジットカードのＩＣチップのメモリに記憶されているクレジットカードの認証情報を読み取り、読み取ったクレジットカードの認証情報を、このクレジットカードの認証要求として、認証サーバ１２に、送信する。
【００２８】
決済端末２は、認証サーバ１２から、この決済端末２が備えるカードリーダライタに挿入されているクレジットカードが間違ったものであるとの認証結果を受信すると、このクレジットカードでの決済を拒絶する。
【００２９】
決済端末２は、この決済端末５が備えるカードリーダライタに挿入されているクレジットカードのＩＣチップのメモリから読み取ったロック状態情報が、ロックが解除されていることを示しており、かつ、認証サーバ１２から、この決済端末２が備えるカードリーダライタに挿入されているクレジットカードが正しいものであるとの認証結果を受信すると、決済処理を行って、この決済端末２が備えるカードリーダライタに挿入されているクレジットカードの外部接続端子を介して、接触通信で、このクレジットカードのＩＣチップのメモリに記憶されているロック状態情報を、ロックが解除されていることを示すものから、ロックが設定されていることを示すものに書き換える。
【００３０】
認証情報データベース１１は、個々のクレジットカードの認証情報を、個々のクレジットカードの利用者が所持する近距離無線通信端末の認証情報と組にして保存し管理するデータベースである。
【００３１】
認証サーバ１２は、認証情報データベースに保存されている認証情報を利用して、クレジットカード及び近距離無線通信端末の認証を行うサーバである。
【００３２】
認証サーバ１２は、近距離無線通信端末１から、クレジットカードの認証情報と、この近距離無線通信端末１の認証情報とを、このクレジットカード及び近距離無線通信端末１の認証要求として、受信すると、このクレジットカードの認証情報と、この近距離無線通信端末１の認証情報との組が、認証情報データベース１１に保存されている場合、この近距離無線通信端末１に、正しい近距離無線通信端末に正しいクレジットカードがかざされているとの認証結果を送信し、他方、保存されていない場合、正しい近距離無線通信端末に正しいクレジットカードがかざされていないとの認証結果を送信する。
【００３３】
また、認証サーバ１２は、決済端末２から、クレジットカードの認証情報を、このクレジットカードの認証要求として、受信すると、受信したクレジットカードの認証情報が、認証情報データベース１１に保存されているかを確かめ、保存されている場合、この決済端末２に、この決済端末２が備えるカードリーダライタに挿入されているクレジットカードが正しいものであるとの認証結果を送信し、他方、保存されていない場合、この決済端末２に、この決済端末２が備えるカードリーダライタに挿入されているクレジットカードが間違ったものであるとの認証結果を送信する。
【００３４】
以下に、本発明の第１の実施形態の決済システムでなされる決済の流れの例を、図３のフローチャートに従って説明する。
【００３５】
Ｓ（ＳＴＥＰ）１；
クレジットカードの利用者は、このクレジットカードを、この利用者が所持している近距離無線通信端末にかざす。
【００３６】
Ｓ（ＳＴＥＰ）２；
近距離無線通信端末は、かざされたクレジットカードのＩＣチップのメモリから、このクレジットカードの認証情報を読み取る。
【００３７】
Ｓ（ＳＴＥＰ）３；
近距離無線通信端末は、かざされたクレジットカードの認証情報と、この近距離無線通信端末が記憶している、この近距離無線通信端末の認証情報とを、このクレジットカード及び近距離無線通信端末の認証要求として、認証サーバに送信し、認証サーバから、
正しい近距離無線通信端末に、正しいクレジットカードがかざされていないとの認証結果を受信した場合、ＳＴＥＰ４に進み、
他方、正しい近距離無線通信端末に、正しいクレジットカードがかざされたとの認証結果を受信した場合、ＳＴＥＰ５に進む。
【００３８】
或いは、近距離無線通信端末１は、この近距離無線通信端末の認証情報の入力を促し、かざされたクレジットカードの認証情報と、入力された近距離無線通信端末の認証情報とを、このクレジットカード及び近距離無線通信端末の認証要求として、認証サーバに送信し、認証サーバから、
正しい近距離無線通信端末に、正しいクレジットカードがかざされていないとの認証結果を受信した場合、ＳＴＥＰ４に進み、
他方、正しい近距離無線通信端末に、正しいクレジットカードがかざされたとの認証結果を受信した場合、ＳＴＥＰ５に進んでも良い。
【００３９】
Ｓ（ＳＴＥＰ）４；
近距離無線通信端末は、かざされたクレジットカードでは、決済できないことを表示し、ＥＮＤに進む。
【００４０】
Ｓ（ＳＴＥＰ）５；
近距離無線通信端末は、かざされたクレジットカードのＩＣチップに記憶されているロック状態情報を、ロックが設定されていることを示すものから、ロックが解除されていることを示すものに書き換える。
【００４１】
Ｓ（ＳＴＥＰ）６；
クレジットカードは、このクレジットカードのＩＣチップに記憶されているロック状態情報を、ロックが設定されていることを示すものから、ロックが解除されていることを示すものに書き換えられた結果、このクレジットカードで決済可能な状態になる。
【００４２】
Ｓ（ＳＴＥＰ）７；
クレジットカードの利用者は、加盟店で購入する商品の代金を決済するために、この加盟店の店員に、このクレジットカードを渡すと、この加盟店の店員は、決済端末のカードリーダライタに、このクレジットカードを挿入する。
【００４３】
Ｓ（ＳＴＥＰ）８；
決済端末は、この決済端末が備えるカードリーダライタに挿入されているクレジットカードの外部接続端子を介して、接触通信で、このクレジットカードのＩＣチップのメモリに記憶されているロック状態情報を読み取り、読み取ったロック状態情報が、ロックが設定されていることを示しているのか、或いは、ロックが解除されていることを示しているのかを確認する。
【００４４】
Ｓ（ＳＴＥＰ）９；
決済端末は、この決済端末が備えるカードリーダライタに挿入されているクレジットカードの外部接続端子を介して、接触通信で、このクレジットカードのＩＣチップのメモリに記憶されているクレジットカードの認証情報を読み取り、読み取ったクレジットカードの認証情報を、このクレジットカードの認証要求として、認証サーバに送信し、
この決済端末が備えるカードリーダライタに挿入されているクレジットカードのＩＣチップのメモリから読み取ったロック状態情報が、ロックが設定されていることを示しているか、或いは、認証サーバから、この決済端末が備えるカードリーダライタに挿入されているクレジットカードが間違ったものであるとの認証結果を受信した場合、ＳＴＥＰ１０に進み、
他方、この決済端末が備えるカードリーダライタに挿入されているクレジットカードのＩＣチップのメモリから読み取ったロック状態情報が、ロックが解除されていることを示しており、かつ、認証サーバから、この決済端末が備えるカードリーダライタに挿入されているクレジットカードが正しいものであるとの認証結果を受信した場合、ＳＴＥＰ１１に進む。
【００４５】
Ｓ（ＳＴＥＰ）１０；
決済端末は、この決済端末が備えるカードリーダライタに挿入されているクレジットカードでは、決済できないことを表示し、ＥＮＤに進む。
【００４６】
Ｓ（ＳＴＥＰ）１１；
決済端末は、この決済端末が備えるカードリーダライタに挿入されているクレジットカードで、このクレジットカードの利用者が購入する商品の代金を決済する決済処理を行う。
【００４７】
Ｓ（ＳＴＥＰ）１２；
決済端末は、この決済端末が備えるカードリーダライタに挿入されているクレジットカードの外部接続端子を介して、接触通信で、このクレジットカードのＩＣチップのメモリに記憶されているロック状態情報を、ロックが解除されていることを示すものから、ロックが設定されていることを示すものに書き換える。
【００４８】
Ｓ（ＳＴＥＰ）１３；
加盟店の店員は、決済端末が備えるカードリーダライタに挿入されているクレジットカードを、このクレジットカードの利用者に返却する。
【００４９】
＜第２の実施形態＞
次に、本発明の決済システムの第２の実施形態を説明する。以後、クレジットカードと云えば、本発明のクレジットカードを意味するものとする。
【００５０】
第２の実施形態のカード決済システムは、図２に示すように、近距離無線通信端末４と、決済端末５と、イシュアサーバ２０とを備え、イシュアサーバ２０は、認証情報データベース２１と、認証サーバ２２とを備え、認証サーバ２２は、ネットワーク６を介して、決済端末５から接続されるものである。
【００５１】
イシュアサーバ２０は、イシュアと呼ばれるクレジットカード発行会社が運営するサーバであって、認証情報データベース２１、認証サーバ２２の他に、信用照会のためのオーソリサーバ、決済のための決済サーバも備えていても良い。
【００５２】
近距離無線通信端末４は、クレジットカードの利用者が所持する端末であって、近距離無線通信（Ｎｅａｒ  Ｆｉｅｌｄ  Ｃｏｍｍｕｎｉｃａｔｉｏｎ）装置を備え、クレジットカードと近距離無線通信（Ｎｅａｒ  Ｆｉｅｌｄ  Ｃｏｍｍｕｎｉｃａｔｉｏｎ）を行って、クレジットカードに設定されたロックを解除するために用いられる端末であって、例えば、携帯電話機である。
【００５３】
近距離無線通信端末４は、この近距離無線通信端末４の所持者が利用しているクレジットカードのＩＣチップのメモリに記憶されているクレジットカードの認証情報を記憶しており、近距離通信の通信エリア内に、クレジットカードがかざされると、このクレジットカードのＩＣチップのメモリからクレジットカードの認証情報を読み取り、読み取ったクレジットカードの認証情報と、この近距離無線通信端末４が記憶しているクレジットカードの認証情報とを照合する認証を行い、読み取ったクレジットカードの認証情報と、この近距離無線通信端末４が記憶しているクレジットカードの認証情報とが一致する場合、正しい近距離無線通信端末に正しいクレジットカードがかざされたとして、このクレジットカードのＩＣチップに記憶されているロック状態情報を、ロックが設定されていることを示すものから、ロックが解除されていることを示すものに書き換える。
【００５４】
或いは、近距離無線通信端末４は、この近距離無線通信端末４の所持者が利用しているクレジットカードのＩＣチップのメモリに記憶されているクレジットカードの認証情報を記憶せず、近距離通信の通信エリア内に、クレジットカードがかざされると、このクレジットカードのＩＣチップのメモリからクレジットカードの認証情報を読み取るととともに、クレジットカードの認証情報の入力を促し、読み取ったクレジットカードの認証情報と、入力されたクレジットカードの認証情報とを照合する認証を行い、読み取ったクレジットカードの認証情報と、入力されたクレジットカードの認証情報とが一致する場合、正しい近距離無線通信端末に正しいクレジットカードがかざされたとして、このクレジットカードのＩＣチップに記憶されているロック状態情報を、ロックが設定されていることを示すものから、ロックが解除されていることを示すものに書き換えても良い。
【００５５】
決済端末５は、クレジットカードが挿入されると、このクレジットカードの外部接続端子に接続され、接触通信で、このクレジットカードのＩＣチップのメモリに記憶されている情報を読み取ったり、このメモリに情報を書き込んだりするカードリーダライタを備え、このクレジットカードで、このクレジットカードの利用者が、購入する商品の代金を決済するのに用いられる端末であって、例えば、加盟店のＰＯＳ（Ｐｏｉｎｔ  Ｏｆ  Ｓａｌｅ）端末である。
【００５６】
決済端末５は、この決済端末５が備えるカードリーダライタに挿入されているクレジットカードの外部接続端子を介して、接触通信で、このクレジットカードのＩＣチップのメモリに記憶されているロック状態情報を読み取り、読み取ったロック状態情報が、ロックが設定されていることを示している場合は、このクレジットカードでの決済を拒絶する。
【００５７】
また、決済端末５は、この決済端末５が備えるカードリーダライタに挿入されているクレジットカードの外部接続端子を介して、接触通信で、このクレジットカードのＩＣチップのメモリに記憶されているクレジットカードの認証情報を読み取り、読み取ったクレジットカードの認証情報を、認証サーバ２２に、このクレジットカードの認証要求として、送信する。
【００５８】
決済端末５は、認証サーバ２２から、この決済端末５が備えるカードリーダライタに挿入されているクレジットカードが間違ったものであるとの認証結果を受信すると、このクレジットカードでの決済を拒絶する。
【００５９】
決済端末５は、この決済端末５が備えるカードリーダライタに挿入されているクレジットカードのＩＣチップのメモリから読み取ったロック状態情報が、ロックが解除されていることを示しており、かつ、認証サーバ３２から、この決済端末５が備えるカードリーダライタに挿入されているクレジットカードが正しいものであるとの認証結果を受信すると、決済処理を行って、この決済端末５が備えるカードリーダライタに挿入されているクレジットカードの外部接続端子を介して、接触通信で、このクレジットカードのＩＣチップのメモリに記憶されているロック状態情報を、ロックが解除されていることを示すものから、ロックが設定されていることを示すものに書き換える。
【００６０】
認証情報データベース２１は、個々のクレジットカードの認証情報を保存し管理するデータベースである。
【００６１】
認証サーバ２２は、決済端末５から、クレジットカードの認証情報を、このクレジットカードの認証要求として、受信すると、受信したクレジットカードの認証情報が、認証情報データベース２１に保存されているかを確かめ、保存されている場合、この決済端末５に、この決済端末５が備えるカードリーダライタに挿入されているクレジットカードが正しいものであるとの認証結果を送信し、他方、保存されていない場合、この決済端末５に、この決済端末５が備えるカードリーダライタに挿入されているクレジットカードが間違ったものであるとの認証結果を送信する。
【００６２】
以下に、本発明の第２の実施形態の決済システムでなされる決済の流れの例を、図３のフローチャートに従って説明する。
【００６３】
Ｓ（ＳＴＥＰ）１；
クレジットカードの利用者は、このクレジットカードを、この利用者が所持している近距離無線通信端末にかざす。
【００６４】
Ｓ（ＳＴＥＰ）２；
近距離無線通信端末は、かざされたクレジットカードのＩＣチップのメモリから、このクレジットカードの認証情報を読み取る。
【００６５】
Ｓ（ＳＴＥＰ）３；
近距離無線通信端末は、読み取ったクレジットカードの認証情報と、この近距離無線通信端末が記憶しているクレジットカードの認証情報とを照合する認証を行い、
読み取ったクレジットカードの認証情報と、この近距離無線通信端末が記憶しているクレジットカードの認証情報とが不一致の場合、正しい近距離無線通信端末に正しいクレジットカードがかざされていないとして、ＳＴＥＰ４に進み、
他方、読み取ったクレジットカードの認証情報と、この近距離無線通信端末４が記憶しているクレジットカードの認証情報とが一致する場合、正しい近距離無線通信端末に正しいクレジットカードがかざされたとして、ＳＴＥＰ５に進む。
【００６６】
或いは、近距離無線通信端末は、クレジットカードの認証情報の入力を促し、読み取ったクレジットカードの認証情報と、入力されたクレジットカードの認証情報とを照合する認証を行い、
読み取ったクレジットカードの認証情報と、入力されたクレジットカードの認証情報とが不一致の場合、正しい近距離無線通信端末に正しいクレジットカードがかざされていないとして、ＳＴＥＰ４に進み、
他方、読み取ったクレジットカードの認証情報と、入力されたクレジットカードの認証情報とが一致する場合、正しい近距離無線通信端末に正しいクレジットカードがかざされたとして、ＳＴＥＰ５に進んでも良い。
【００６７】
Ｓ（ＳＴＥＰ）４；
近距離無線通信端末は、かざされたクレジットカードでは、決済できないことを表示し、ＥＮＤに進む。
【００６８】
Ｓ（ＳＴＥＰ）５；
近距離無線通信端末は、かざされたクレジットカードのＩＣチップに記憶されているロック状態情報を、ロックが設定されていることを示すものから、ロックが解除されていることを示すものに書き換える。
【００６９】
Ｓ（ＳＴＥＰ）６；
クレジットカードは、このクレジットカードのＩＣチップに記憶されているロック状態情報を、ロックが設定されていることを示すものから、ロックが解除されていることを示すものに書き換えられた結果、このクレジットカードで決済可能な状態になる。
【００７０】
Ｓ（ＳＴＥＰ）７；
クレジットカードの利用者は、加盟店で購入する商品の代金を決済するために、この加盟店の店員に、このクレジットカードを渡すと、この加盟店の店員は、決済端末のカードリーダライタに、このクレジットカードを挿入する。
【００７１】
Ｓ（ＳＴＥＰ）８；
決済端末は、この決済端末２が備えるカードリーダライタに挿入されているクレジットカードの外部接続端子を介して、接触通信で、このクレジットカードのＩＣチップのメモリに記憶されているロック状態情報を読み取り、読み取ったロック状態情報が、ロックが設定されていることを示しているのか、或いは、ロックが解除されていることを示しているのかを確認する。
【００７２】
Ｓ（ＳＴＥＰ）９；
決済端末は、この決済端末が備えるカードリーダライタに挿入されているクレジットカードの外部接続端子を介して、接触通信で、このクレジットカードのＩＣチップのメモリに記憶されているクレジットカードの認証情報を読み取り、読み取ったクレジットカードの認証情報を、このクレジットカードの認証要求として、認証サーバに送信し、
この決済端末が備えるカードリーダライタに挿入されているクレジットカードのＩＣチップのメモリから読み取ったロック状態情報が、ロックが設定されていることを示しているか、或いは、認証サーバから、この決済端末が備えるカードリーダライタに挿入されているクレジットカードが間違ったものであるとの認証結果を受信した場合、ＳＴＥＰ１０に進み、
他方、この決済端末が備えるカードリーダライタに挿入されているクレジットカードのＩＣチップのメモリから読み取ったロック状態情報が、ロックが解除されていることを示しており、かつ、認証サーバから、この決済端末が備えるカードリーダライタに挿入され
ているクレジットカードが正しいものであるとの認証結果を受信した場合、ＳＴＥＰ１１に進む。
【００７３】
Ｓ（ＳＴＥＰ）１０；
決済端末は、この決済端末が備えるカードリーダライタに挿入されているクレジットカードでは、決済できないことを表示し、ＥＮＤに進む。
【００７４】
Ｓ（ＳＴＥＰ）１１；
決済端末は、この決済端末が備えるカードリーダライタに挿入されているクレジットカードで、このクレジットカードの利用者が購入する商品の代金を決済する決済処理を行う。
【００７５】
Ｓ（ＳＴＥＰ）１２；
決済端末は、この決済端末が備えるカードリーダライタに挿入されているクレジットカードの外部接続端子を介して、接触通信で、このクレジットカードのＩＣチップのメモリに記憶されているロック状態情報を、ロックが解除されていることを示すものから、ロックが設定されていることを示すものに書き換える。
【００７６】
Ｓ（ＳＴＥＰ）１３；
加盟店の店員は、決済端末が備えるカードリーダライタに挿入されているクレジットカードを、このクレジットカードの利用者に返却する。
【符号の説明】
【００７７】
１…近距離無線通信端末
２…決済端末
３…ネットワーク
４…近距離無線通信端末
５…決済端末
６…ネットワーク
１０…イシュアサーバ
１１…認証情報データベース
１２…認証サーバ
２０…イシュアサーバ
２１…認証情報データベース
２２…認証サーバ
【図１】
2016114978.tif 000003
【図２】
2016114978.tif 000004
【図３】
2016114978.tif 000005